(57)【要約】【課題】  コンテンツデータを再生する電子機器において、他の電子機器のディスプレイおよび操作手段を使い勝手よく利用できる電子機器を提供する。【解決手段】  ＣＰＵ３４は、操作画面信号を入出力処理回路３３を介してリモートコントローラ１３に出力する。リモートコントローラ１３は、当該操作画面信号を赤外線で携帯電話４に出力する。リモートコントローラ１３は、携帯電話４から赤外線で受信した操作信号をプレーヤ本体１２に出力する。【選択図】  図１
2006108851.tif 000002
【特許請求の範囲】
【請求項１】
プレーヤ本体とリモートコントローラとを有する電子機器であって、
前記プレーヤ本体は、
前記コンテンツデータを再生する再生回路と、
操作信号に基づいて前記再生回路を制御し、操作画面を表示するための操作画面信号を前記リモートコントローラに出力する第１の処理回路と
を有し、
前記リモートコントローラは、
前記プレーヤ本体の前記第１の処理回路との間でデータ入出力を行う第１のインタフェースと、
ディスプレイおよび操作手段を備えた他の電子機器と無線でデータ送受信を行う第２のインタフェースと、
前記第１のインタフェースを介して前記プレーヤ本体の前記第１の処理回路から入力した前記操作画面信号を、前記第２のインタフェースを介して前記他の電子機器に送信し、前記第２のインタフェースを介して前記他の電子機器から受信した操作信号を、前記第１のインタフェースを介して前記プレーヤ本体の前記第１の処理回路に出力する第２の処理回路と
を有する電子機器。
【請求項２】
オーディオデータである前記コンテンツデータと、前記オーディオデータに関連付けられた画像データとを記憶するメモリ
をさらに有し、
前記再生回路は、前記メモリから読み出された前記コンテンツデータを再生し、
前記第１の処理回路は、前記再生回路における前記コンテンツデータの再生に関連付けて、前記メモリから読み出した前記画像データを前記リモートコントローラに出力し、
前記第２の処理回路は、前記第１のインタフェースを介して前記第１の処理回路から入力した画像データを、前記第２のインタフェースを介して前記他の電子機器に送信する
請求項１に記載の電子機器。
【請求項３】
前記第２のインタフェースは、近距離無線通信により前記データ入出力を行う
請求項１に記載の電子機器。
【請求項４】
前記第２のインタフェースは、赤外線により前記データ入出力を行う
請求項３に記載の電子機器。
【請求項５】
プレーヤ本体とイヤホンとを有する電子機器であって、
前記プレーヤ本体は、
前記コンテンツデータを再生する再生回路と、
前記イヤホンとデータ入出力を行う第１のインタフェースと、
操作画面を表示するための操作画面信号を前記イヤホンに前記第１のインタフェースを介して出力し、前記第１のインタフェースを介して前記イヤホンから入力した操作信号に基づいて前記再生回路を制御する第１の処理回路と
を有し、
前記イヤホンは、
前記プレーヤ本体とデータ入出力を行う第２のインタフェースと、
ディスプレイおよび操作手段を備えた他の電子機器との間で無線でデータ送受信を行う第３のインタフェースと、
前記第２のインタフェースを介して前記プレーヤ本体の前記第１の処理回路から入力した前記操作画面信号を、前記第３のインタフェースを介して前記他の電子機器に送信し、前記第３のインタフェースを介して前記他の電子機器から受信した操作信号を、前記第２のインタフェースを介して前記プレーヤ本体の前記第１の処理回路に出力する第２の処理回路と
を有する電子機器。
【請求項６】
コンテンツデータを再生する電子機器であって、
前記コンテンツデータを再生する再生回路と、
ディスプレイおよび操作手段を備えた他の電子機器との間で無線でデータ送受信を行うインタフェースと、
操作画面を表示するための操作画面信号を前記他の電子機器に前記インタフェースを介して送信し、前記インタフェースを介して前記他の電子機器から受信した操作信号に基づいて前記再生回路を制御する処理回路と
を有する電子機器。
【請求項７】
プレーヤ本体とリモートコントローラとを有する第１の電子機器を用いて行う通信方法であって、
前記プレーヤ本体から前記リモートコントローラに操作画面を表示するための操作画面信号を出力する第１の工程と、
前記リモートコントローラから前記第１の工程で入力した前記操作画面信号を第２の電子機器に無線で送信する第２の工程と、
前記第２の電子機器が前記第２の工程で受信した前記操作画面信号を当該第２の電子機器が備えるディスプレイに表示する第３の工程と、
前記第２の電子機器が前記リモートコントローラに、前記第２の電子機器が備える操作手段の操作に応じた操作信号を無線で送信する第４の工程と、
前記リモートコントローラがプレーヤ本体に、前記第４の工程で受信した前記操作信号を出力する第５の工程と、
前記プレーヤ本体が、前記第５の工程で入力した前記操作信号に基づいて再生動作を行う第６の工程と
を有する通信方法。
【発明の詳細な説明】
【技術分野】
【０００１】
本発明は、コンテンツデータを再生する電子機器および通信方法に関する。
【背景技術】
【０００２】
ＨＤＤ(Hard Disk Drive)などの大容量ストレージを用いたオ−ディオ再生プレーヤは、多数の楽曲のオーディオデータを蓄積でき、再生しようとする楽曲をユーザに効率的に選曲するための選曲画面などの操作画面を液晶ディスプレイに表示する。
また、このようなオ−ディオ再生プレーヤは、オーディオデータと共にアルバムのジャケット画像データや文字データなどをパーソナルコンピュータから入力して記憶し、オーディオデータを再生中に、ジャケット写真や文字情報を液晶ディスプレイに表示できる。
従来のオ−ディオ再生プレーヤでは、当該プレーヤが内蔵するディスプレイに選曲画面、写真、文字などの画像を表示している。
【発明の開示】
【発明が解決しようとする課題】
【０００３】
しかしながら、オ−ディオ再生プレーヤには、設置スペース、ユーザの使用形態の相違、並びに価格との関係で、大型で高精度なディスプレイを全ての製品に内蔵することは困難である。
【０００４】
本発明は、上述した従来技術の問題点に鑑みてなされ、コンテンツデータを再生する電子機器において、他の電子機器のディスプレイおよび操作手段を使い勝手よく利用できる電子機器および通信方法を提供することを目的とする。
【課題を解決するための手段】
【０００５】
上述した従来技術の問題点を解決し、上述した目的を達成するために、第１の観点の発明は、プレーヤ本体とリモートコントローラとを有する電子機器であって、前記プレーヤ本体は、前記コンテンツデータを再生する再生回路と、操作信号に基づいて前記再生回路を制御し、操作画面を表示するための操作画面信号を前記リモートコントローラに出力する第１の処理回路とを有し、前記リモートコントローラは、前記プレーヤ本体の前記第１の処理回路との間でデータ入出力を行う第１のインタフェースと、ディスプレイおよび操作手段を備えた他の電子機器と無線でデータ送受信を行う第２のインタフェースと、前記第１のインタフェースを介して前記プレーヤ本体の前記第１の処理回路から入力した前記操作画面信号を、前記第２のインタフェースを介して前記他の電子機器に送信し、前記第２のインタフェースを介して前記他の電子機器から受信した操作信号を、前記第１のインタフェースを介して前記プレーヤ本体の前記第１の処理回路に出力する第２の処理回路とを有する。
【０００６】
第１の観点の発明の作用は以下のようになる。
プレーヤ本体の第１の処理回路が、操作画面を表示するための操作画面信号を前記リモートコントローラに出力する。
そして、前記リモートコントローラの第２の処理回路が、第１のインタフェースを介して前記プレーヤ本体の前記第１の処理回路から入力した前記操作画面信号を、第２のインタフェースを介して前記他の電子機器に送信する。
そして、前記第２の処理回路が、前記第２のインタフェースを介して前記他の電子機器から受信した操作信号を、前記第１のインタフェースを介して前記プレーヤ本体の前記第１の処理回路に出力する。
【０００７】
第２の観点の発明は、プレーヤ本体とイヤホンとを有する電子機器であって、前記プレーヤ本体は、前記コンテンツデータを再生する再生回路と、前記イヤホンとデータ入出力を行う第１のインタフェースと、操作画面を表示するための操作画面信号を前記イヤホンに前記第１のインタフェースを介して出力し、前記第１のインタフェースを介して前記イヤホンから入力した操作信号に基づいて前記再生回路を制御する第１の処理回路とを有し、前記イヤホンは、前記プレーヤ本体とデータ入出力を行う第２のインタフェースと、ディスプレイおよび操作手段を備えた他の電子機器との間で無線でデータ送受信を行う第３のインタフェースと、前記第２のインタフェースを介して前記プレーヤ本体の前記第１の処理回路から入力した前記操作画面信号を、前記第３のインタフェースを介して前記他の電子機器に送信し、前記第３のインタフェースを介して前記他の電子機器から受信した操作信号を、前記第２のインタフェースを介して前記プレーヤ本体の前記第１の処理回路に出力する第２の処理回路とを有する。
【０００８】
第２の観点の発明の作用は以下のようになる。
プレーヤ本体の第１の処理回路が、操作画面を表示するための操作画面信号をイヤホンに第１のインタフェースを介して出力する。
そして、前記イヤホンが、第２のインタフェースを介して前記プレーヤ本体の前記第１の処理回路から入力した前記操作画面信号を、第３のインタフェースを介して前記他の電子機器に送信する。
そして、前記イヤホンが、前記第３のインタフェースを介して前記他の電子機器から受信した操作信号を、前記第２のインタフェースを介して前記プレーヤ本体の前記第１の処理回路に出力する。
そして、前記プレーヤ本体の第１の処理回路が、前記第１のインタフェースを介して前記イヤホンから入力した操作信号に基づいて前記再生回路を制御する。
【０００９】
第３の観点の発明の電子機器は、コンテンツデータを再生する電子機器であって、前記コンテンツデータを再生する再生回路と、ディスプレイおよび操作手段を備えた他の電子機器との間で無線でデータ送受信を行うインタフェースと、操作画面を表示するための操作画面信号を前記他の電子機器に前記インタフェースを介して送信し、前記インタフェースを介して前記他の電子機器から受信した操作信号に基づいて前記再生回路を制御する処理回路とを有する。
【００１０】
第３の観点の発明の電子機器の作用は以下のようになる。
処理回路が、操作画面を表示するための操作画面信号を前記他の電子機器にインタフェースを介して送信する。
そして、前記処理回路が、前記インタフェースを介して前記他の電子機器から受信した操作信号に基づいて前記再生回路を制御する。
【００１１】
第４の観点の発明は、プレーヤ本体とリモートコントローラとを有する第１の電子機器を用いて行う通信方法であって、前記プレーヤ本体から前記リモートコントローラに操作画面を表示するための操作画面信号を出力する第１の工程と、前記リモートコントローラから前記第１の工程で入力した前記操作画面信号を第２の電子機器に無線で送信する第２の工程と、前記第２の電子機器が前記第２の工程で受信した前記操作画面信号を当該第２の電子機器が備えるディスプレイに表示する第３の工程と、前記第２の電子機器が前記リモートコントローラに、前記第２の電子機器が備える操作手段の操作に応じた操作信号を無線で送信する第４の工程と、前記リモートコントローラがプレーヤ本体に、前記第４の工程で受信した前記操作信号を出力する第５の工程と、前記プレーヤ本体が、前記第５の工程で入力した前記操作信号に基づいて再生動作を行う第６の工程とを有する。
【発明の効果】
【００１２】
本発明によれば、コンテンツデータを再生する電子機器において、他の電子機器のディスプレイおよび操作手段を使い勝手よく利用できる電子機器および通信方法を提供することができる。
【発明を実施するための最良の形態】
【００１３】
以下、本発明の実施形態について説明する。
＜第１実施形態＞
本実施形態は、第１および第４の観点の発明に対応した実施形態である。
以下、図１〜図４を参照して第１実施形態を説明する。
先ず、本実施形態の構成と本発明の構成と対応関係を説明する。
本実施形態のオーディオデータが、本発明のコンテンツデータに対応している。
また、本実施形態の操作信号が本発明の操作信号に対応し、本実施形態の操作画面信号が本発明の操作画面信号に対応している。
図１に示すオ−ディオ再生プレーヤ１１が本発明の電子機器に対応し、携帯電話４が本発明の他の電子機器に対応している。
また、プレーヤ本体１２が本発明のプレーヤ本体に対応し、リモートコントローラ１３が本発明のリモートコントローラに対応している。
入出力処理回路３３の機能のうちＨＤＤ２２からオーディオデータを読み出す機能、並びに復号回路２５が、本発明の再生回路に対応している。
また、ＣＰＵ３４が、本発明の第１の処理回路に対応している。
また、図２に示すインタフェース４２が本発明の第１のインタフェースに対応し、ｉｒＤＡ回路４５が本発明の第２のインタフェースに対応し、処理回路４７が本発明の第２の処理回路に対応している。
【００１４】
図１は、本発明の第１実施形態に係わるオ−ディオ再生プレーヤ１１の全体構成図である。
図１に示すように、オ−ディオ再生プレーヤ１１は、例えば、プレーヤ本体１２およびリモートコントローラ１３を有する。
オ−ディオ再生プレーヤ１１は、例えば、携帯型のオーディオ再生プレーヤである。
以下、プレーヤ本体１２およびリモートコントローラ１３の構成について詳細に説明する。
［プレーヤ本体１２］
プレーヤ本体１２は、例えば、図１に示すように、ＵＳＢ(Universal Serial Bus)インタフェース２１、ＨＤＤ(Hard Disk Drive)２２、フラッシュメモリ２３、ＳＤＲＡＭ(Synchronous DRAM)２４、復号回路２５、ＤＡＣ(Digital Analog Converter)２６、アンプ２７、液晶ディスプレイ３１、表示制御回路３２、入出力処理回路３３、ＣＰＵ(Central Processing Unit)３４、内部バス３５、リモコン端子３６，３７および電源３８を有する。
【００１５】
ＵＳＢインタフェース２１は、パーソナルコンピュータ３９との間でデータの入出力を行う。
ＵＳＢインタフェース２１は、パーソナルコンピュータ３９上で動作するアプリケーションプログラムに基づいてユーザが行った操作に応じて、パーソナルコンピュータ３９からオーディオデータを入力する。
【００１６】
ＨＤＤ２２は、磁気ディスクを備え、当該磁気ディスクにオーディオデータを記憶する。
ＨＤＤ２２は、ＣＰＵ３４の制御に基づいて、ＵＳＢインタフェース２１から入力したオーディオデータを磁気ディスクに書き込む。
また、ＨＤＤ２２は、ＣＰＵ３４の制御に基づいて、磁気ディスクから読み出したオーディオデータを入出力処理回路３３に出力する。
なお、ＨＤＤ２２は、各楽曲のオーディオデータに対応付けて、その楽曲が属するアルバムのジャケット写真データや、その楽曲名やアーティスト名などの文字データとを関連付けて記憶する。
【００１７】
フラッシュメモリ２３は、ＣＰＵ３４の処理を規定するプログラムＰＲＧを記憶する。プログラムＰＲＧは、例えば、Ｆ／Ｗ(Firm Ware) である。
ＳＤＲＡＭ２４は、ＣＰＵ３４の処理に関するデータを記憶する。
また、ＳＤＲＡＭ２４は、ＨＤＤ２２から読み出され入出力処理回路３３を介して入力したオーディオデータを記憶する。
復号回路２５は、ＳＤＲＡＭ２４から読み出されたオーディオデータをＡＴＲＡＣ(Ａｄａｐｔｉｖｅ Ｔｒａｎｓｆｏｒｍ Ａｃｏｕｓｔｉｃ Ｃｏｄｉｎｇ)３で復号してＤＡＣ２６に出力する。
ＤＡＣ２６は、復号回路２５から入力した復号されたオーディオデータをアナログのオーディオ信号に変換してアンプ２７に出力する。
アンプ２７は、ＤＡＣ２６から入力したオーディオ信号を増幅し、信号伝送ライン５０を介してリモートコントローラ１３に出力する。
【００１８】
液晶ディスプレイ３１は、表示制御回路３２からの制御に応じて画面表示を行う。当該画面は、例えば、選曲画面などの操作画面や、ジャケット写真画面、再生中の楽曲データに関する属性を示す属性表示画面である。
表示制御回路３２は、ＣＰＵ３４からの制御に基づいて、液晶ディスプレイ３１の画面表示を制御する。
ＣＰＵ３４は、プレーヤ本体１２の動作を統括的に制御する。
ＣＰＵ３４は、後述する制御および処理を、フラッシュメモリ２３から読み出したプログラムＰＲＧに従って行う。
電源３８は、プレーヤ本体１２の各構成に、その動作に必要な電力を供給する。
【００１９】
［リモートコントローラ１３］
図２に示すように、リモートコントローラ１３は、例えば、ヘッドフォン端子４０，４１、インタフェース４２、操作キー４３、液晶ディスプレイ４４、ｉｒＤＡ(Infrared Data Association)回路４５、ＵＡＲＴ回路４６および処理回路４７を有する。
ヘッドフォン端子４０は、信号伝送ライン５０の一端に接続され、プレーヤ本体１２のアンプ２７から入力したアナログのオーディオ信号を、ヘッドフォン端子４１に出力する。
ヘッドフォン端子４１には、ヘッドフォン１４に一端が接続された信号伝送ライン５１の他端が接続される。
【００２０】
インタフェース４２は、図１に示すプレーヤ本体１２のリモコン端子３６，３７に接続された信号伝送ライン５２を介して、プレーヤ本体１２の入出力処理回路３３から信号を入力すると共に、ＣＰＵ３４に信号を出力する。
操作キー４３は、ボタンなどであり、ユーザの操作に応じた操作信号を処理回路４７に出力する。
操作キー４３としては、例えば、再生ボタン、停止ボタン、ＡＭＳボタン、ＣＵＥボタン、ＲＥＶボタン、表示切替ボタン、プレイモードボタンなどがある。
再生ボタンは、例えば、ユーザの選曲操作によって選択された楽曲データ（オーディオデータ）の再生を指示するボタンである。
停止ボタンは、実行中のオーディオ再生処理の停止を指示するボタンである。
ＡＭＳボタンは、次の楽曲データを再生することを指示するボタンである。
ＣＵＥボタンは、頭だしを指示するボタンである。
ＲＥＶボタンは、前回再生した楽曲データを再生することを指示するボタンである。
表示切替ボタンは、液晶ディスプレイ４４に表示する画面の切り替えを指示するボタンである。
プレイモードボタンは、例えば、自動再生を行う場合の楽曲データの選択パターン等のプレイモードの選択を指示するボタンである。
【００２１】
液晶ディスプレイ４４は、処理回路４７からの制御に応じて画面表示を行う。当該画面は、例えば、選曲画面などの操作画面や、再生中の楽曲データに関する属性を示す属性表示画面である。
ｉｒＤＡ回路４５は、赤外線を利用した近距離データ通信を行う回路である。
なお、ｉｒＤＡ回路４５の代わりに、Bluetooth（ブルートゥース）などのその他の無線通信を行う回路（インタフェース）を用いてもよい。
ｉｒＤＡ回路４５は、ＵＡＲＴ回路４６から入力したシリアル形式の操作画面信号を赤外線で携帯電話４のｉｒＤＡ／ＵＡＲＴ回路６６に送信する。
また、ｉｒＤＡ回路４５は、携帯電話４のｉｒＤＡ／ＵＡＲＴ回路６６から受信した赤外線の操作信号を電気信号に変換してＵＡＲＴ回路４６に出力する。
ＵＡＲＴ回路４６は、処理回路４７から入力したパラレル形式の操作画面信号をシリアル形式に変換してｉｒＤＡ回路４５に出力する。
また、ＵＡＲＴ回路４６は、ｉｒＤＡ回路４５から入力したシリアル形式の操作信号をパラレル形式に変換して処理回路４７に出力する。
【００２２】
処理回路４７は、リモートコントローラ１３の処理を統括的に制御する。
処理回路４７は、操作キー４３から入力した操作信号をインタフェース４２を介してプレーヤ本体１２に出力する。
また、処理回路４７は、インタフェース４２を介してプレーヤ本体１２から入力した操作画面信号に基づいて、液晶ディスプレイ４４に対応付けて予め規定した処理を行い、当該処理結果に応じた操作画面等を液晶ディスプレイ４４に表示する。
なお、処理回路４７は、所定のスイッチの状態に応じて操作画面信号を携帯電話４に送信する場合には、液晶ディスプレイ４４への表示を行わないようにしてもよい。
また、処理回路４７は、インタフェース４２を介してプレーヤ本体１２から入力した操作画面信号をＵＡＲＴ回路４６に出力する。
また、処理回路４７は、ＵＡＲＴ回路４６から入力した操作信号をインタフェース４２を介してプレーヤ本体１２に出力する。
このとき、処理回路４７は、例えば、ＵＡＲＴ回路４６から入力した操作信号を、予め規定した規則に従って、プレーヤ本体１２が解釈可能な形式に変換する。
【００２３】
［携帯電話４］
図２に示すように、携帯電話４は、例えば、通話部６２、液晶ディスプレイ６３、操作キー６４、メモリ６５、ｉｒＤＡ／ＵＡＲＴ回路６６およびＣＰＵ６７を有する。
携帯電話４の構成要素は、例えば、信号線６１を介して接続されている。
【００２４】
通話部６２は、通話に関する機能を実現する。
液晶ディスプレイ６３は、ＣＰＵ６７の制御に応じて画面表示を行う。当該画面は、プレーヤ本体１２が生成した操作画面信号、ジャケット画像信号や文字信号に応じた画面である。
当該操作信号に応じた操作画面は、例えば、選曲画面、再生動作指示画面などのプレーヤ本体１２の動作指示に関する画面である。また、ジャケット画像信号に応じた画面は、例えば、プレーヤ本体１２が再生中のオーディオデータに関連付けられてプレーヤ本体１２に記憶された画像を表示する。また、文字信号に応じた画面は、例えば、再生中のオーディオデータのアーティスト、トラックネームなどの文字を表示する。
液晶ディスプレイ６３は、例えば、図１に示すプレーヤ本体１２の液晶ディスプレイ３１に比べて表示画面サイズが大きく、且つ解像度が高い。
操作キー６４は、テンキー、着信ボタン、発信ボタン、十字キーなどである。
メモリ６５は、ＣＰＵ６７が実行するアプリケーションプログラムＰＲＧを記憶している。
アプリケーションプログラムＰＲＧは、例えば、図３に示すように、通話部６２がネットワーク９を介してサーバ２からダウンロードされてメモリ６５に書き込まれる。
【００２５】
ｉｒＤＡ／ＵＡＲＴ回路６６は、リモートコントローラ１３のｉｒＤＡ回路４５から赤外線で入力したシリアル形式の操作画面信号をパラレル形式の電気信号に変換してＣＰＵ６７に出力する。
また、ｉｒＤＡ／ＵＡＲＴ回路６６は、ＣＰＵ６７から入力したパラレル形式の操作信号を、シリアル形式に変換して赤外線でリモートコントローラ１３のｉｒＤＡ回路４５に送信する。
ＣＰＵ６７は、携帯電話４の動作を統括的に制御する。
ＣＰＵ６７は、メモリ６５に予め記憶したアプリケーションプログラムＰＲＧに基づいて通話等に関する基本機能を実現する。
また、ＣＰＵ６７は、メモリ６５に記憶された上述したアプリケーションプログラムＰＲＧに基づいて、プレーヤ本体１２に対しての操作に関する操作画面を液晶ディスプレイ６３に表示する処理、並びに当該操作画面に応じてユーザが行った操作キー６４の操作による操作信号をリモートコントローラ１３に出力する処理とを行う。
すなわち、ＣＰＵ６７は、ｉｒＤＡ／ＵＡＲＴ回路６６およびリモートコントローラ１３を介してプレーヤ本体１２から入力した操作画面信号に応じた操作画面を液晶ディスプレイ６３に表示する。
また、ＣＰＵ６７は、液晶ディスプレイ６３に表示した上記操作画面に基づいて、プレーヤ本体１２に対する操作キーとしての機能を操作キー６４に割り当てる。
具体的には、ＣＰＵ６７は、操作キー４３として、例えば、プレーヤ本体１２の操作に関する再生ボタン、停止ボタン、ＡＭＳボタン、ＣＵＥボタン、ＲＥＶボタン、表示切替ボタン、プレイモードボタンなどを割り当てる。
ＣＰＵ６７は、操作キー６４からの操作信号をｉｒＤＡ／ＵＡＲＴ回路６６に出力する。
【００２６】
以下、本実施形態のオ−ディオ再生プレーヤ１１の動作例を説明する。
図４は、オ−ディオ再生プレーヤ１１の動作例を説明するためのフローチャートである。
［第１の動作例］
当該動作例では、携帯電話４の液晶ディスプレイ６３に選曲画面などの操作画面を表示する場合を例示する。
ステップＳＴ１：
例えば、プレーヤ本体１２あるいはリモートコントローラ１３に設けられた所定のスイッチがオンになるなどの所定の条件が満たされると、ＣＰＵ３４が操作画面信号を生成し、これをリモコン端子３７および信号伝送ライン５２を介してリモートコントローラ１３に出力する。
ステップＳＴ２：
リモートコントローラ１３では、ステップＳＴ１で入力した操作画面信号を処理回路４７を介してＵＡＲＴ回路４６に出力し、ＵＡＲＴ回路４６においてパラレル形式からシリアル形式に変換してｉｒＤＡ回路４５に出力する。
ｉｒＤＡ回路４５は、上記シリアル形式に変換された操作画面信号を赤外線で携帯電話４に送信する。
このとき、リモートコントローラ１３のｉｒＤＡ回路４５の赤外線発光部と、携帯電話４のｉｒＤＡ／ＵＡＲＴ回路６６の赤外線受光部とが所定の距離内で障害物がない状態で対向して位置することが要求される。
【００２７】
ステップＳＴ３：
携帯電話４では、ステップＳＴ２でｉｒＤＡ回路４５が受信した操作画面信号をｉｒＤＡ／ＵＡＲＴ回路６６で入力し、これを電気信号に変換すると共に、シリアル形式からパラレル形式に変換する。
そして、ｉｒＤＡ／ＵＡＲＴ回路６６は、当該変換した操作画面信号をＣＰＵ６７に出力する。
ＣＰＵ６７は、当該操作画面信号を基に、液晶ディスプレイ６３に選曲画面などの操作画面を表示する。
【００２８】
ステップＳＴ４：
ＣＰＵ６７は、操作キー６４がユーザによって操作されたか否かを判断し、操作キー６４が操作されたと判断するとステップＳＴ５に進む。
ステップＳＴ５：
ＣＰＵ６７は、例えば、ステップＳＴ４の操作に応じて操作キー６４から入力した操作信号を基に当該操作が予め決められた所定の操作であると判断すると、その操作信号をｉｒＤＡ／ＵＡＲＴ回路６６に出力する。
ｉｒＤＡ／ＵＡＲＴ回路６６は、ＣＰＵ６７から入力した操作信号をパラレル形式からシリアル形式に変換し、それを赤外線でリモートコントローラ１３のｉｒＤＡ回路４５に送信する。
【００２９】
ステップＳＴ６：
リモートコントローラ１３のｉｒＤＡ回路４５は、ステップＳＴ５で赤外線で受信した操作信号を電気信号に変換してＵＡＲＴ回路４６に出力する。
ＵＡＲＴ回路４６は、ｉｒＤＡ回路４５から入力した操作信号をシリアル形式からパラレル形式に変換して処理回路４７に出力する。
処理回路４７は、ＵＡＲＴ回路４６から入力した操作信号を、信号伝送ライン５２を介してプレーヤ本体１２に出力する。
ステップＳＴ７：
プレーヤ本体１２は、ステップＳＴ６でリモートコントローラ１３が出力した操作信号をリモコン端子３６を介してＣＰＵ３４に入力する。
ＣＰＵ３４は、入出力処理回路３３から入力した操作信号に基づいて、ＨＤＤ２２から復号回路２５へのオーディオデータの読み出し、復号回路２５の復号処理等を制御する。
【００３０】
［第２の動作例］
当該動作例では、携帯電話４の液晶ディスプレイ６３に、オーディオデータと関連付けられてＨＤＤ２２に記憶されたジャケット画像や文字情報を表示する場合を例示する。
この場合には、ＣＰＵ３４は、上述した第１の動作例の操作画面信号に代えて、ＨＤＤ２２からＳＤＲＡＭ２４に読み出されたジャケット画像信号や文字信号を入力する。
そして、これらのジャケット画像信号や文字信号が、上述した操作画面信号と同様の処理を経て、リモートコントローラ１３を介して携帯電話４に送信され、携帯電話４の液晶ディスプレイ６３に、これらの信号に応じたジャケット画像や文字画像が表示される。
【００３１】
以上説明したように、オ−ディオ再生プレーヤ１１によれば、プレーヤ本体１２の操作を行うための操作画面を携帯電話４の液晶ディスプレイ６３に表示し、ユーザが当該操作画面を基に携帯電話４の操作キー６４を用いて行った操作信号に基づいてプレーヤ本体１２の動作を制御できる。
これにより、ユーザは、プレーヤ本体１２の液晶ディスプレイ３１に比べて画面表示サイズが大きく且つ解像度が高い携帯電話４の液晶ディスプレイ６３に表示された操作画面を用いることができる。
また、ユーザは、携帯電話４の液晶ディスプレイ６３に、プレーヤ本体１２において再生中のオーディオデータに関連付けられたジャケット画像や文字画像を表示できる。
すなわち、オ−ディオ再生プレーヤ１１によれば、プレーヤ１１自体に液晶ディスプレイ３１として大画面、高解像度のものを設けなくても、ユーザが必要に応じて携帯電話４の大画面、高解像度の液晶ディスプレイ６３に操作画面、ジャケット画像および文字情報を表示できる。
また、ユーザは、携帯電話４の液晶ディスプレイ６３の近傍に配置された携帯電話４の操作キー６４を用いてプレーヤ本体１２を制御でき使い勝手がよい。
【００３２】
また、オ−ディオ再生プレーヤ１１によれば、携帯電話４のｉｒＤＡ／ＵＡＲＴ回路６６との間で操作画面信号および操作信号の入出力を行うｉｒＤＡ回路４５を、プレーヤ本体１２に比べて小規模で移動しやすいリモートコントローラ１３に設けたことで、ｉｒＤＡ回路４５と携帯電話４のｉｒＤＡ／ＵＡＲＴ回路６６とを対向させる作業を簡単に行うことができ、赤外線によるデータ送受信を容易に行わせることができる。
【００３３】
＜第２実施形態＞
当該実施形態は、第２の観点の発明に対応している。
本実施形態では、携帯電話４の赤外線通信を行うｉｒＤＡ回路をヘッドフォンに内蔵した例を説明する。
以下、図５および図６を参照して第２実施形態を説明する。
先ず、本実施形態の構成と本発明の構成と対応関係を説明する。
本実施形態のオーディオデータが、本発明のコンテンツデータに対応している。
また、本実施形態の操作信号が本発明の操作信号に対応し、本実施形態の操作画面信号が本発明の操作画面信号に対応している。
図５に示すオ−ディオ再生プレーヤ１１１が本発明の電子機器に対応し、携帯電話４が本発明の他の電子機器に対応している。
また、プレーヤ本体１１２が本発明のプレーヤ本体に対応し、ヘッドフォン１１４が本発明のイヤホンに対応している。
入出力処理回路１３３の機能のうちＨＤＤ２２からオーディオデータを読み出す機能、並びに復号回路２５が、本発明の再生回路に対応している。
また、ＣＰＵ１３４が、本発明の第１の処理回路に対応している。
入出力処理回路１３３が本発明の第１のインタフェースに対応し、ＵＡＲＴ回路１４６が本発明の第２のインタフェースに対応し、ｉｒＤＡ回路１４５が本発明の第３のインタフェースに対応している。
【００３４】
図５は、本発明の第２実施形態に係わるオ−ディオ再生プレーヤ１１１の全体構成図である。
図５に示すように、オ−ディオ再生プレーヤ１１１は、例えば、プレーヤ本体１１２およびヘッドフォン１１４を有する。
オ−ディオ再生プレーヤ１１１は、例えば、携帯型のオーディオ再生プレーヤである。
以下、プレーヤ本体１１２およびヘッドフォン１１４の構成について詳細に説明する。
［プレーヤ本体１１２］
プレーヤ本体１１２は、例えば、図５に示すように、ＵＳＢインタフェース２１、ＨＤＤ２２、フラッシュメモリ２３、ＳＤＲＡＭ２４、復号回路２５、ＤＡＣ２６、アンプ２７、液晶ディスプレイ３１、表示制御回路３２、入出力処理回路１３３、ＣＰＵ１３４、電源３８を有する。
図５において、図１と同じ符号を付した構成要素は第１実施形態で説明したものと同じである。
以下、入出力処理回路１３３およびＣＰＵ１３４について説明する。
入出力処理回路１３３は、ＣＰＵ１３４から入力した上記操作画面信号を信号伝送ライン１５１を介してヘッドフォン１１４のＵＡＲＴ回路１４６に出力する点を除いて、第１実施形態の入出力処理回路３３と同じである。
ＣＰＵ１３４は、信号伝送ライン１５１を介してヘッドフォン１１４のＵＡＲＴ回路１４６から操作信号を入力する点を除いて、第１実施形態のＣＰＵ３４と同じである。
【００３５】
［ヘッドフォン１１４］
ヘッドフォン１１４は、図５に示すように、例えば、インタフェース１２０、スピーカ１２３、ｉｒＤＡ回路１４５およびＵＡＲＴ回路１４６を有する。
【００３６】
インタフェース１２０は、プレーヤ本体１１２のアンプ２７から信号伝送ライン１５０を介してアナログのオーディオ信号を入力し、これをスピーカ１２３に出力する。
スピーカ１２３は、インタフェース１２０から入力したオーディオ信号に応じた音声出力を行う。
【００３７】
ｉｒＤＡ回路１４５は、赤外線を利用した近距離データ通信を行う回路である。
なお、ｉｒＤＡ回路１４５の代わりに、Bluetooth（ブルートゥース）などのその他の無線通信を行う回路（インタフェース）を用いてもよい。
ｉｒＤＡ回路１４５は、ＵＡＲＴ回路１４６から入力したシリアル形式の操作画面信号を赤外線で図２に示す携帯電話４のｉｒＤＡ／ＵＡＲＴ回路６６に送信する。
また、ｉｒＤＡ回路１４５は、携帯電話４のｉｒＤＡ／ＵＡＲＴ回路６６から受信した赤外線の操作信号を電気信号に変換してＵＡＲＴ回路１４６に出力する。
ＵＡＲＴ回路１４６は、信号伝送ライン１５１を介してプレーヤ本体１１２の入出力処理回路１３３から入力したパラレル形式の操作画面信号をシリアル形式に変換してｉｒＤＡ回路１４５に出力する。
また、ＵＡＲＴ回路１４６は、ｉｒＤＡ回路１４５から入力したシリアル形式の操作信号をパラレル形式に変換して、信号伝送ライン１５１を介してプレーヤ本体１１２のＣＰＵ１３４に出力する。
【００３８】
以下、本実施形態のオ−ディオ再生プレーヤ１１１の動作例を説明する。
図６は、オ−ディオ再生プレーヤ１１１の動作例を説明するためのフローチャートである。
ステップＳＴ１１：
例えば、プレーヤ本体１１２あるいはヘッドフォン１１４に設けられた所定のスイッチがオンになるなどの所定の条件が満たされると、ＣＰＵ１３４が操作画面信号を生成し、これを入出力処理回路１３３および信号伝送ライン１５１を介してヘッドフォン１１４に出力する。
ステップＳＴ１２：
ヘッドフォン１１４では、ステップＳＴ１１で入力した操作画面信号をＵＡＲＴ回路１４６に出力し、ＵＡＲＴ回路１４６においてパラレル形式からシリアル形式に変換してｉｒＤＡ回路１４５に出力する。
ｉｒＤＡ回路１４５は、上記シリアル形式に変換された操作画面信号を赤外線で携帯電話４に送信する。
このとき、ヘッドフォン１１４のｉｒＤＡ回路１４５の赤外線発光部と、携帯電話４のｉｒＤＡ／ＵＡＲＴ回路６６の赤外線受光部とが所定の距離内で障害物がない状態で対向して位置することが要求される。
【００３９】
ステップＳＴ１３：
携帯電話４では、ステップＳＴ１２でｉｒＤＡ回路１４５が受信した操作画面信号をｉｒＤＡ／ＵＡＲＴ回路６６で入力し、これを電気信号に変換すると共に、シリアル形式からパラレル形式に変換する。
そして、ｉｒＤＡ／ＵＡＲＴ回路６６は、当該変換した操作画面信号をＣＰＵ６７に出力する。
ＣＰＵ６７は、当該操作画面信号を基に、液晶ディスプレイ６３に操作画面を表示する。
【００４０】
ステップＳＴ１４：
ＣＰＵ６７は、操作キー６４がユーザによって操作されたか否かを判断し、操作キー６４が操作されたと判断するとステップＳＴ５に進む。
ステップＳＴ１５：
ＣＰＵ６７は、例えば、ステップＳＴ１４の操作に応じて操作キー６４から入力した操作信号を基に当該操作が予め決められた所定の操作であると判断すると、その操作信号をｉｒＤＡ／ＵＡＲＴ回路６６に出力する。
ｉｒＤＡ／ＵＡＲＴ回路６６は、ＣＰＵ６７から入力した操作信号をパラレル形式からシリアル形式に変換し、それを赤外線でヘッドフォン１１４のｉｒＤＡ回路１４５に送信する。
【００４１】
ステップＳＴ１６：
ヘッドフォン１１４のｉｒＤＡ回路１４５は、ステップＳＴ１５で赤外線で受信した操作信号を電気信号に変換してＵＡＲＴ回路１４６に出力する。
ＵＡＲＴ回路１４６は、ｉｒＤＡ回路１４５から入力した操作信号をシリアル形式からパラレル形式に変換して、信号伝送ライン１５１を介してプレーヤ本体１１２に出力する。
ステップＳＴ１７：
プレーヤ本体１１２は、ステップＳＴ１６でヘッドフォン１１４が出力した操作信号をＣＰＵ１３４に入力する。
ＣＰＵ１３４は、入力した操作信号に基づいて、ＨＤＤ２２から復号回路２５へのオーディオデータの読み出し、復号回路２５の復号処理等を制御する。
【００４２】
なお、本実施形態においても、ＣＰＵ１３４は、上述した動作例の操作画面信号に代えて、ＨＤＤ２２からＳＤＲＡＭ２４に読み出されたジャケット画像信号や文字信号を入力してもよい。この場合に、ジャケット画像信号や文字信号が、上述した操作画面信号と同様の処理を経て、ヘッドフォン１１４を介して携帯電話４に送信され、携帯電話４の液晶ディスプレイ６３に、これらの信号に応じたジャケット画像や文字画像が表示される。
【００４３】
本実施形態においても、上述した第１実施形態と同様の効果が得られる。
【００４４】
＜第３実施形態＞
本実施形態は、第３の観点の発明に対応している。
本実施形態では、携帯電話４の赤外線通信を行うｉｒＤＡ回路をプレーヤ本体に内蔵した例を説明する。
以下、図７および図８を参照して第３実施形態を説明する。
先ず、本実施形態の構成と本発明の構成と対応関係を説明する。
本実施形態のオーディオデータが、本発明のコンテンツデータに対応している。
また、本実施形態の操作信号が本発明の操作信号に対応し、本実施形態の操作画面信号が本発明の操作画面信号に対応している。
図７に示すオ−ディオ再生プレーヤ２１１が本発明の電子機器に対応し、携帯電話４が本発明の他の電子機器に対応している。
入出力処理回路２３３の機能のうちＨＤＤ２２からオーディオデータを読み出す機能、並びに復号回路２５が、本発明の再生回路に対応している。
また、ｉｒＤＡ回路２４５が本発明のインタフェース対応し、ＣＰＵ２３４が、本発明の処理回路に対応している。
【００４５】
図７は、本発明の第３実施形態に係わるオ−ディオ再生プレーヤ２１１の全体構成図である。
オ−ディオ再生プレーヤ２１１は、例えば、図７に示すように、ＵＳＢインタフェース２１、ＨＤＤ２２、フラッシュメモリ２３、ＳＤＲＡＭ２４、復号回路２５、ＤＡＣ２６、アンプ２７、液晶ディスプレイ３１、表示制御回路３２、入出力処理回路２３３、ＣＰＵ２３４、電源３８、ｉｒＤＡ回路２４５およびＵＡＲＴ回路２４６を有する。
図７において、図１と同じ符号を付した構成要素は第１実施形態で説明したものと同じである。
以下、入出力処理回路２３３、ＣＰＵ２３４、ｉｒＤＡ回路２４５およびＵＡＲＴ回路２４６について説明する。
入出力処理回路２３３は、ＣＰＵ２３４から入力した第１実施形態で説明した操作画面信号をＵＡＲＴ回路２４６に出力する点を除いて、第１実施形態の入出力処理回路３３と同じである。
ＣＰＵ２３４は、ＵＡＲＴ回路２４６から操作信号を入力する点を除いて、第１実施形態のＣＰＵ３４と同じである。
【００４６】
ｉｒＤＡ回路２４５は、赤外線を利用した近距離データ通信を行う回路である。
なお、ｉｒＤＡ回路２４５の代わりに、Bluetooth（ブルートゥース）などのその他の無線通信を行う回路（インタフェース）を用いてもよい。
ｉｒＤＡ回路２４５は、ＵＡＲＴ回路２４６から入力したシリアル形式の操作画面信号を赤外線で図２に示す携帯電話４のｉｒＤＡ／ＵＡＲＴ回路６６に送信する。
また、ｉｒＤＡ回路２４５は、携帯電話４のｉｒＤＡ／ＵＡＲＴ回路６６から受信した赤外線の操作信号を電気信号に変換してＵＡＲＴ回路２４６に出力する。
ＵＡＲＴ回路２４６は、ＣＰＵ２３４から入力したパラレル形式の操作画面信号をシリアル形式に変換してｉｒＤＡ回路２４５に出力する。
また、ＵＡＲＴ回路２４６は、ｉｒＤＡ回路２４５から入力したシリアル形式の操作信号をパラレル形式に変換してＣＰＵ２３４に出力する。
【００４７】
以下、本実施形態のオ−ディオ再生プレーヤ２１１の動作例を説明する。
図８は、オ−ディオ再生プレーヤ２１１の動作例を説明するためのフローチャートである。
ステップＳＴ２１：
例えば、プレーヤ本体１１２あるいはヘッドフォン１１４に設けられた所定のスイッチがオンになるなどの所定の条件が満たされると、ＣＰＵ２３４が操作画面信号を生成し、これを入出力処理回路２３３を介してＵＡＲＴ回路２４６に出力する。
ＵＡＲＴ回路２４６は、入力した操作画面信号をパラレル形式からシリアル形式に変換してｉｒＤＡ回路２４５に出力する。
ステップＳＴ２２：
ｉｒＤＡ回路２４５は、上記シリアル形式に変換された操作画面信号を赤外線で携帯電話４に送信する。
このとき、ｉｒＤＡ回路２４５の赤外線発光部と、携帯電話４のｉｒＤＡ／ＵＡＲＴ回路６６の赤外線受光部とが所定の距離内で障害物がない状態で対向して位置することが要求される。
【００４８】
ステップＳＴ２３：
携帯電話４では、ステップＳＴ２２でｉｒＤＡ回路２４５が受信した操作画面信号をｉｒＤＡ／ＵＡＲＴ回路６６で入力し、これを電気信号に変換すると共に、シリアル形式からパラレル形式に変換する。
そして、ｉｒＤＡ／ＵＡＲＴ回路６６は、当該変換した操作画面信号をＣＰＵ６７に出力する。
ＣＰＵ６７は、当該操作画面信号を基に、液晶ディスプレイ６３に操作画面を表示する。
【００４９】
ステップＳＴ２４：
ＣＰＵ６７は、操作キー６４がユーザによって操作されたか否かを判断し、操作キー６４が操作されたと判断するとステップＳＴ２５に進む。
ステップＳＴ２５：
ＣＰＵ６７は、例えば、ステップＳＴ２４の操作に応じて操作キー６４から入力した操作信号を基に当該操作が予め決められた所定の操作であると判断すると、その操作信号をｉｒＤＡ／ＵＡＲＴ回路６６に出力する。
ｉｒＤＡ／ＵＡＲＴ回路６６は、ＣＰＵ６７から入力した操作信号をパラレル形式からシリアル形式に変換し、それを赤外線でプレーヤ本体２１２のｉｒＤＡ回路２４５に送信する。
【００５０】
ステップＳＴ２６：
プレーヤ本体２１２のｉｒＤＡ回路２４５は、ステップＳＴ２５で赤外線で受信した操作信号を電気信号に変換してＵＡＲＴ回路２４６に出力する。
ＵＡＲＴ回路２４６は、ｉｒＤＡ回路２４５から入力した操作信号をシリアル形式からパラレル形式に変換してＣＰＵ２３４に出力する。
ステップＳＴ２７：
ＣＰＵ２３４は、入力した操作信号に基づいて、ＨＤＤ２２から復号回路２５へのオーディオデータの読み出し、復号回路２５の復号処理等を制御する。
【００５１】
なお、本実施形態においても、ＣＰＵ２３４は、上述した動作例の操作画面信号に代えて、ＨＤＤ２２からＳＤＲＡＭ２４に読み出されたジャケット画像信号や文字信号を入力してもよい。この場合に、ジャケット画像信号や文字信号が、上述した操作画面信号と同様の処理を経て、ｉｒＤＡ回路２４５を介して携帯電話４に送信され、携帯電話４の液晶ディスプレイ６３に、これらの信号に応じたジャケット画像や文字画像が表示される。
【００５２】
以上説明したように、オ−ディオ再生プレーヤ２１１によれば、その操作を行うための操作画面を携帯電話４の液晶ディスプレイ６３に表示し、ユーザが当該操作画面を基に携帯電話４の操作キー６４を用いて行った操作信号に基づいてプレーヤ本体１２の動作を制御できる。
これにより、ユーザは、オ−ディオ再生プレーヤ２１１の液晶ディスプレイ３１に比べて画面表示サイズが大きく且つ解像度が高い携帯電話４の液晶ディスプレイ６３に表示された操作画面を用いることができる。
また、ユーザは、携帯電話４の液晶ディスプレイ６３に、オ−ディオ再生プレーヤ２１１において再生中のオーディオデータに関連付けられたジャケット画像や文字画像を表示できる。
すなわち、オ−ディオ再生プレーヤ２１１によれば、プレーヤ２１１自体には大画面、高解像度の液晶ディスプレイ３１を設けなくても、ユーザが必要に応じて携帯電話４の大画面、高解像度の液晶ディスプレイ６３に操作画面、ジャケット画像および文字情報を表示できる。
また、ユーザは、携帯電話４の液晶ディスプレイ６３の近傍に配置された携帯電話４の操作キー６４を用いてオ−ディオ再生プレーヤ２１１を制御でき使い勝手がよい。
【００５３】
本発明は上述した実施形態には限定されない。
上述した実施形態では、本発明のコンテンツデータとしてオーディオデータを例示したが、イメージデータを用いてもよい。
また、上述したプレーヤ本体１２，１１２およびオ−ディオ再生プレーヤ２１１は、携帯型じゃなく、固定型であってもよい。
【産業上の利用可能性】
【００５４】
本発明は、コンテンツデータを再生する電子機器に適用可能である。
【図面の簡単な説明】
【００５５】
【図１】図１は、本発明の第１実施形態に係わるオ−ディオ再生プレーヤの全体構成図である。
【図２】図２は、図１に示すリモートコントローラおよび携帯電話の構成図である。
【図３】図３は、図１に示す携帯電話にアプリケーションプログラムをダウンロードすることを説明するための図である。
【図４】図４は、図１に示すオーディオ再生プレーヤの動作例を説明するためのフローチャートである。
【図５】図５は、本発明の第２実施形態に係わるオ−ディオ再生プレーヤの全体構成図である。
【図６】図６は、図５に示すオーディオ再生プレーヤの動作例を説明するためのフローチャートである。
【図７】図７は、本発明の第３実施形態に係わるオ−ディオ再生プレーヤの全体構成図である。
【図８】図８は、図７に示すオーディオ再生プレーヤの動作例を説明するためのフローチャートである。
【符号の説明】
【００５６】
１１，１１１，２１２…オ−ディオ再生プレーヤ、１２，１１２…プレーヤ本体、２１…ＵＳＢインタフェース、２２…ＨＤＤ、２３…フラッシュメモリ、２４…ＳＤＲＡＭ、２５…復号回路、２６…ＤＡＣ、２７…アンプ、３１…液晶ディスプレイ、３２…表示制御回路、３３，１３３，２３３…入出力処理回路、３４，１３４，２３４…ＣＰＵ、３８…電源、１４，１１４…ヘッドフォン、１２０…インタフェース、１２３…スピーカ、４５，１４５，２４５…ｉｒＤＡ回路、４６，１４６，２４６…ＵＡＲＴ回路
【図１】
2006108851.tif 000003
【図２】
2006108851.tif 000004
【図３】
2006108851.tif 000005
【図４】
2006108851.tif 000006
【図５】
2006108851.tif 000007
【図６】
2006108851.tif 000008
【図７】
2006108851.tif 000009
【図８】
2006108851.tif 000010